(57)【要約】      （修正有）【課題】利用者が望んでいる環境になるように、施設内の環境を調整する。【解決手段】制御システムは、屋内の環境を調整する設備を制御する制御システムであって、互いに異なる環境が、視覚的に識別可能な操作対象部にそれぞれ対応付けられており、前記操作対象部の選択を検出する検出部２２１と、前記検出の結果に応じて制御対象にする設備の種類が選択され、前記選択された種類の設備に対する制御量を調整する制御部２２３と、を備え、前記制御部は、前記操作対象部の視覚的な特徴に対応付けられている環境にするように各設備の制御量を調整する。【選択図】図１
2016031616.tif 000002
【特許請求の範囲】
【請求項１】
屋内の環境を調整する設備を制御する制御システムであって、
互いに異なる環境が、視覚的に識別可能な操作対象部にそれぞれ対応付けられており、前記操作対象部の選択を検出する検出部と、
前記検出の結果に応じて制御対象にする設備の種類が選択され、前記選択された種類の設備に対する制御量を調整する制御部と、
を備え、
前記制御部は、
前記操作対象部の視覚的な特徴に対応付けられている環境にするように各設備の制御量を調整する
ことを特徴とする制御システム。
【請求項２】
前記操作対象部の視覚的な特徴が、少なくとも前記操作対象部の色、形、パタン、デザイン、立体視、動き、シーンの何れかから想到される環境に応じて形成されており、
前記制御部は、
前記形成された特徴に対応付けられている環境にするように各設備の制御量を調整する
ことを特徴とする請求項１に記載の制御システム。
【請求項３】
前記環境を前記操作対象部の色で示した場合、暖色系の色に、基準とする温度より高い温度を感じさせるような環境を対応させ、寒色系の色に、基準とする温度より低い温度を感じさせるような環境を対応させておき、
前記制御部は、
前記検出された操作に応じた前記操作対象部の色に対応付けられている環境にするように各設備の制御量を調整する
ことを特徴とする請求項１又は２に記載の制御システム。
【請求項４】
前記環境を前記操作対象部の色で示した場合、赤色系の色に、基準とする環境より交感神経の刺激を高めるような環境を対応させ、青色系の色に、基準とする環境より交感神経の刺激を低減させるような環境を対応させておき、
前記制御部は、
前記検出された操作に応じた前記操作対象部の色に対応付けられている環境にするように各設備の制御量を調整する
ことを特徴とする請求項１から３の何れか１項に記載の制御システム。
【請求項５】
前記環境を前記操作対象部の色で示した場合、緑色系の色に、基準とする環境よりリラックス感を与えるような環境を対応させておき、
前記制御部は、
前記検出された操作に応じた前記操作対象部の色に対応付けられている環境にするように各設備の制御量を調整する
ことを特徴とする請求項１から３の何れか１項に記載の制御システム。
【請求項６】
前記制御部は、
前記検出された操作に応じて定まる制御量を、制御対象にする前記設備ごとに定め、前記定めた制御量に応じて前記設備を制御する
ことを特徴とする請求項１から５の何れか１項に記載の制御システム。
【請求項７】
複数の種類の前記設備は、環境を調整する領域に対応させて設けられており、
前記制御部は、
ユーザの位置に対応する前記領域にある設備ごとの制御量を調整する
ことを特徴とする請求項１から６の何れか１項に記載の制御システム。
【請求項８】
前記制御部は、
前記環境を調整する領域に係る設備ごとの制御量を調整する
ことを特徴とする請求項７に記載の制御システム。
【請求項９】
前記互いに異なる複数の色を含む画像にして表示部に表示させる表示制御部
を備え、
前記互いに異なる複数の色と前記表示された画像の位置とが対応づけられており、
前記検出部は、
前記検出した画像の位置に基づいて、前記選択された色を検出する
ことを特徴とする請求項１から８の何れか１項に記載の制御システム。
【請求項１０】
前記制御部は、
ユーザによって選択された色に係る情報を履歴情報として記憶させるとともに、前記履歴情報に基づいた解析結果により、当該ユーザの位置に対応する設備に対する制御量を調整する
ことを特徴とする請求項１から９の何れか１項に記載の制御システム。
【請求項１１】
前記制御部は、
当該ユーザの位置に対応する複数の種類の前記設備に対する制御量をそれぞれ調整する
ことを特徴とする請求項１０に記載の制御システム。
【請求項１２】
前記制御部は、
当該ユーザの位置に対応する前記複数の種類の設備に対する制御量を、前記検出された色に応じて調整する
ことを特徴とする請求項１１に記載の制御システム。
【請求項１３】
前記検出部は、
前記ユーザの周囲の環境として当該ユーザが望む環境を指定できるように、状況が異なる環境を互いに異なる複数の色の何れかに予めそれぞれ対応付けておき、
前記検出された色に応じて調整する
ことを特徴とする請求項１０から１２の何れか１項に記載の制御システム。
【請求項１４】
屋内の環境を調整する設備を制御する端末装置であって、
互いに異なる環境が、視覚的に識別可能な操作対象部にそれぞれ対応付けられており、ユーザの操作による前記操作対象部の選択を検出する検出部
を備え、
前記検出部による検出の結果に応じて制御対象にする設備の種類が選択され、前記選択された種類の設備に対する制御量を調整する際に、前記操作対象部の視覚的な特徴に対応付けられている環境にするように各設備の制御量が調整される
ことを特徴とする端末装置。
【請求項１５】
屋内の環境を調整する設備を制御する制御サーバであって、
互いに異なる環境が、視覚的に識別可能な操作対象部にそれぞれ対応付けられており、ユーザの操作による前記操作対象部の選択が検出された後に、前記選択された種類の設備に対する制御量を調整する制御部と、
を備え、
前記制御部は、
前記操作対象部の視覚的な特徴に対応付けられている環境にするように各設備の制御量を調整する
ことを特徴とする制御サーバ。
【請求項１６】
屋内の環境を調整する設備を制御する制御方法であって、
互いに異なる環境が、視覚的に識別可能な操作対象部にそれぞれ対応付けられており、ユーザの操作による前記操作対象部の選択を検出するステップと、
前記検出の結果に応じて制御対象にする設備の種類が選択され、前記選択された種類の設備に対する制御量を調整する制御ステップと、
を含み、
前記制御ステップは、
前記操作対象部の視覚的な特徴に対応付けられている環境にするように各設備の制御量を調整するステップ
を含むことを特徴とする制御方法。
【請求項１７】
屋内の環境を調整する設備を制御する制御システムのコンピュータに、
互いに異なる環境が、視覚的に識別可能な操作対象部にそれぞれ対応付けられており、前記操作対象部の選択を検出するステップと、
前記検出の結果に応じて制御対象にする設備の種類が選択され、前記選択された種類の設備に対する制御量を調整する制御ステップと、
を実行させるためのプログラムであって、
前記制御ステップは、
前記操作対象部の視覚的な特徴に対応付けられている環境にするように各設備の制御量を調整するステップ
を含むプログラム。
【発明の詳細な説明】
【技術分野】
【０００１】
本発明は、制御システム、端末装置、制御サーバ、制御方法及びプログラムに関する。
【背景技術】
【０００２】
室内の環境を調整する設備に、空気調和設備、照明設備などがある。このような各設備は、大規模のビル等では集中制御されていて個別に調整することができないことが多い。そのため、設定された環境とユーザが望む環境とが異なる場合には、ユーザは、設定された環境を我慢して、その施設を利用することになることがある。このように構成された施設では、空気調和設備、照明設備などの設備において、部屋やゾーンごとの温度や照度を個別に調整できるように構成されている場合である。このように構成された施設であってとしても、部屋やゾーンを単位として、温度や照度を直接指定して調整するように構成されているに過ぎない。
【０００３】
一方で、家庭用の空気調和設備、照明設備などの装置では、個々の装置を独立して制御することができ、専用のリモコンが用いて、個々の装置に対する調整が行える。その調整を行う一般的な方法として、具体的な制御目標の値を設定するか、現状の設定値に対しての加減を相対的に指示して制御目標の値を設定するかの何れかの操作方法がとられている。
【０００４】
また、利用者（ユーザ）の嗜好に応じた環境になるように空気調和設備、照明設備を制御するための技術が知られている（例えば、特許文献１参照）。
【先行技術文献】
【特許文献】
【０００５】
【特許文献１】特開２００８−２６７７４１号公報
【発明の概要】
【発明が解決しようとする課題】
【０００６】
しかしながら、リモコンにより家庭用の装置の制御状態を調整する上記の何れの操作方法も、個々の装置における制御目標の値を指定するものでしかない。また、上記の操作方法により個々の装置の制御状態を調整できたとしても、利用者が望んでいる環境がいかなるものかの情報を取り込むことも、取り込んだ情報に基づいて対象の装置以外の各設備を制御することもできない。
【０００７】
また、特許文献１によれば、利用者の嗜好や行動パタンを示す情報を予め記憶しておき、記憶されていた情報に基づいて利用者の行動を予測したり、利用者の状態を検出したりする。特許文献１の技術により、利用者が存在すると予想された対象個所の個々の装置の制御状態を調整することができるようになったとしても、利用者が望んでいる環境がいかなるものかの情報を取り込むことも、取り込んだ情報に基づいて対象の装置以外の各設備を制御することもできない。
【０００８】
このように特許文献１に記載の技術等を利用して個々の装置の制御状態を調整できるようになっても、利用者が望んでいる環境を容易に設定できない場合があった。
【０００９】
本発明は、このような事情に鑑みてなされたもので、利用者が望んでいる環境になるように、施設内の環境を調整する制御システム、端末装置、制御サーバ、制御方法及びプログラムを提供することにある。
【課題を解決するための手段】
【００１０】
上述した課題を解決するために、本発明の一態様は、屋内の環境を調整する設備を制御する制御システムであって、互いに異なる環境が、視覚的に識別可能な操作対象部にそれぞれ対応付けられており、ユーザの操作による前記操作対象部の選択を検出する検出部と、前記検出の結果に応じて制御対象にする設備の種類が選択され、前記選択された種類の設備に対する制御量を調整する制御部と、を備え、前記制御部は、前記操作対象部の視覚的な特徴に対応付けられている環境にするように各設備の制御量を調整することを特徴とする制御システムである。
【００１１】
また、本発明の一態様は、上記の制御システムにおいて、前記操作対象部の視覚的な特徴が、少なくとも前記操作対象部の色、形、パタン、デザイン、立体視、動き、シーンの何れかから想到される環境に応じて形成されており、前記制御部は、前記形成された特徴に対応付けられている環境にするように各設備の制御量を調整することを特徴とする。
【００１２】
また、本発明の一態様は、上記の制御システムにおいて、前記環境を前記操作対象部の色で示した場合、暖色系の色に、基準とする温度より高い温度を感じさせるような環境を対応させ、寒色系の色に、基準とする温度より低い温度を感じさせるような環境を対応させておき、前記制御部は、前記検出された操作に応じた前記操作対象部の色に対応付けられている環境にするように各設備の制御量を調整することを特徴とする。
【００１３】
また、本発明の一態様は、上記の制御システムにおいて、前記環境を前記操作対象部の色で示した場合、赤色系の色に、基準とする環境より交感神経の刺激を高めるような環境を対応させ、青色系の色に、基準とする環境より交感神経の刺激を低減させるような環境を対応させておき、前記制御部は、前記検出された操作に応じた前記操作対象部の色に対応付けられている環境にするように各設備の制御量を調整することを特徴とする。
【００１４】
また、本発明の一態様は、上記の制御システムにおいて、前記環境を前記操作対象部の色で示した場合、緑色系の色に、基準とする環境よりリラックス感を与えるような環境を対応させておき、前記制御部は、前記検出された操作に応じた前記操作対象部の色に対応付けられている環境にするように各設備の制御量を調整することを特徴とする。
【００１５】
また、本発明の一態様は、上記の制御システムにおいて、前記制御部は、前記検出された操作に応じて定まる制御量を、制御対象にする前記設備ごとに定め、前記定めた制御量に応じて前記設備を制御することを特徴とする。
【００１６】
また、本発明の一態様は、上記の制御システムにおいて、複数の種類の前記設備は、環境を調整する領域に対応させて設けられており、前記制御部は、ユーザの位置に対応する前記領域にある設備ごとの制御量を調整することを特徴とする。
【００１７】
また、本発明の一態様は、上記の制御システムにおいて、前記制御部は、前記環境を調整する領域に係る設備ごとの制御量を調整することを特徴とする。
【００１８】
また、本発明の一態様は、上記の制御システムにおいて、前記互いに異なる複数の色を含む画像にして表示部に表示させる表示制御部を備え、前記互いに異なる複数の色と前記表示された画像の位置とが対応づけられており、前記検出部は、前記検出した画像の位置に基づいて、前記選択された色を検出することを特徴とする。
【００１９】
また、本発明の一態様は、上記の制御システムにおいて、前記制御部は、ユーザによって選択された色に係る情報を履歴情報として記憶させるとともに、前記履歴情報に基づいた解析結果により、当該ユーザの位置に対応する設備に対する制御量を調整することを特徴とする。
【００２０】
また、本発明の一態様は、上記の制御システムにおいて、前記制御部は、当該ユーザの位置に対応する複数の種類の前記設備に対する制御量をそれぞれ調整することを特徴とする。
【００２１】
また、本発明の一態様は、上記の制御システムにおいて、前記制御部は、当該ユーザの位置に対応する前記複数の種類の設備に対する制御量を、前記検出された色に応じて調整することを特徴とする。
【００２２】
また、本発明の一態様は、上記の制御システムにおいて、前記検出部は、前記ユーザの周囲の環境として当該ユーザが望む環境を指定できるように、状況が異なる環境を互いに異なる複数の色の何れかに予めそれぞれ対応付けておき、前記検出された色に応じて調整することを特徴とする。
【００２３】
また、本発明の一態様は、屋内の環境を調整する設備を制御する端末装置であって、互いに異なる環境が、視覚的に識別可能な操作対象部にそれぞれ対応付けられており、ユーザの操作による前記操作対象部の選択を検出する検出部を備え、前記検出部による検出の結果に応じて制御対象にする設備の種類が選択され、前記選択された種類の設備に対する制御量を調整する際に、前記操作対象部の視覚的な特徴に対応付けられている環境にするように各設備の制御量が調整されることを特徴とする端末装置である。
【００２４】
また、本発明の一態様は、屋内の環境を調整する設備を制御する制御サーバであって、互いに異なる環境が、視覚的に識別可能な操作対象部にそれぞれ対応付けられており、ユーザの操作による前記操作対象部の選択が検出された後に、前記選択された種類の設備に対する制御量を調整する制御部と、を備え、前記制御部は、前記操作対象部の視覚的な特徴に対応付けられている環境にするように各設備の制御量を調整することを特徴とする制御サーバである。
【００２５】
また、本発明の一態様は、屋内の環境を調整する設備を制御する制御方法であって、互いに異なる環境が、視覚的に識別可能な操作対象部にそれぞれ対応付けられており、ユーザの操作による前記操作対象部の選択を検出するステップと、前記検出の結果に応じて制御対象にする設備の種類が選択され、前記選択された種類の設備に対する制御量を調整する制御ステップと、を含み、前記制御ステップは、前記操作対象部の視覚的な特徴に対応付けられている環境にするように各設備の制御量を調整するステップを含むことを特徴とする制御方法である。
【００２６】
また、本発明の一態様は、屋内の環境を調整する設備を制御する制御システムのコンピュータに、互いに異なる環境が、視覚的に識別可能な操作対象部にそれぞれ対応付けられており、前記操作対象部の選択を検出するステップと、前記検出の結果に応じて制御対象にする設備の種類が選択され、前記選択された種類の設備に対する制御量を調整する制御ステップと、を実行させるためのプログラムであって、前記制御ステップは、前記操作対象部の視覚的な特徴に対応付けられている環境にするように各設備の制御量を調整するステップを含むプログラムである。
【発明の効果】
【００２７】
以上説明したように、本発明によれば、利用者が望んでいる環境になるように、施設内の環境を調整する制御システム、端末装置、制御サーバ、制御方法及びプログラムを提供することができる。
【図面の簡単な説明】
【００２８】
【図１】本発明の実施形態による制御システムの構成例を表す構成図である。
【図２】本実施形態による表示部１２１に表示される操作入力画面の表示例を示す図である。
【図３】本実施形態による検出された操作ボタンＫｎに応じて環境を調整する制御の手順を示すフローチャートである。
【図４】本実施形態による設備３００の制御する際の調整範囲について説明する説明図である。
【図５】本実施形態による色ごとに定めた補正量の選択について説明する説明図である。
【発明を実施するための形態】
【００２９】
（本発明の実施形態における制御システムの概要について）
本発明の実施形態における制御システムの概要について説明する。
本発明の実施形態における制御システムは、屋内の環境を調整する設備を制御する。
制御システムにおいて、互いに異なる環境が、視覚的に識別可能な操作対象部にそれぞれ対応付けられている。制御システムにおける検出部は、操作対象部の選択を検出する。制御システムは、検出部による検出の結果に応じて制御対象にする設備の種類が選択され、前記選択された種類の設備に対する制御量を調整する。制御システムは、操作対象部の視覚的な特徴に対応付けられている環境にするように各設備の制御量を調整する。
例えば、上記の操作対象部の視覚的な特徴は、少なくとも操作対象部の色、形、パタン、デザイン、立体視、動き、シーンの何れかから想到される環境に応じて形成されていてもよい。この場合、制御システムは、上記のように形成された特徴に対応付けられている環境にするように各設備の制御量を調整する。
【００３０】
このように、本実施形態によれば、操作対象部の視覚的な特徴を利用して、利用者（ユーザ）が望んでいる環境になるように、施設内の環境を調整するユーザが望む環境を容易に設定できる。
【００３１】
（視覚による刺激が人の心理に与える影響について）
ここでは、視覚による刺激が人の心理に与える影響について、色分けされた操作ボタンを利用した操作を例にして説明する。
例えば、端末装置１００の画面には、互いに異なる色になるように色分けされた複数の操作ボタンが配列されている。各操作ボタンには、それぞれの操作ボタンに対応する環境が設定されているとする。ユーザは、各操作ボタンを操作することにより環境を調整できることと、色から容易にイメージされる環境が対応付けられていることを認知できれば、操作ボタンに文字などを表示しなくても、環境を調整するための操作を行えるようになる。
このように色分けされた操作ボタンを操作することにより、周囲の環境が、各操作ボタンの色から容易にイメージされる環境になるように調整することができる。
【００３２】
ところで、各色が人の心理に影響することが知られている。例えば、「赤」は、情熱、活動的なイメージをもたらし、「橙」は、陽気、快活なイメージをもたらし、「黄」は、明朗、躍動的なイメージをもたらし、「緑」は、さわやかさや平和的なイメージをもたらし、「紫」は、上品、優雅なイメージをもたらすものという知見がある。
【００３３】
そこで、業務を処理する状況に適した環境を、色を用いて指定することにする。例えば、業務を活動的に処理する状況に適した環境を指定する際に選択する色を「赤」にする。業務を快活に処理する状況に適した環境を指定する際に選択する色を「橙」にする。業務を明るい気持ちで処理する状況に適した環境を指定する際に選択する色を「黄」にする。業務を落ち着いた気持ちで処理する状況に適した環境を指定する際に選択する色を「緑」にする。業務を優雅な気持ちで処理する状況に適した環境を指定する際に選択する色を「紫」にする。
さらに、標準的な環境を無彩色で示し、業務を処理する状況に適した環境に標準的な環境からシフトさせる度合いを彩度に応じて定めてもよい。例えば、標準的な環境を「白」で示す。以上の割り付けの例は一例であり、上記以外の定義を行うことを制限するものではない。
以上、本実施形態の概要について説明したが、より具体的な制御システムの例について以下に説明する。
【００３４】
以下、図面を参照して、施設内の環境を調整する設備の制御状態を調整するように構成した、本発明の実施の形態について説明する。
【００３５】
＜第１の実施形態＞
図１は、この発明の第１の実施形態による制御システム１の構成例を示す概略ブロック図である。制御システム１は、端末装置１００と、管理サーバ（制御サーバ）２００と、設備３００と、を備えている。端末装置１００と、管理サーバ２００と、設備３００とは、ネットワーク５を介して接続される。このネットワーク５は、インターネットやＬＡＮ等であり、いずれか一方を用いて接続される場合も、両方が組み合わされて接続される場合もある。
【００３６】
端末装置１００は、ネットワーク５を介して各種サーバ等と通信可能な携帯型の情報端末（クライアント）であり、スマートフォン、携帯電話、ノート型ＰＣ（Ｐｅｒｓｏｎａｌ  Ｃｏｍｐｕｔｅｒ）、タブレット型ＰＣ、携帯型ゲーム機等のスマートデバイスを適用することができる。ここでは、端末装置１００は、スマートフォンであるものとして説明する。なお、この図では１台の端末装置１００を図示しているが、複数のユーザがそれぞれ利用している端末装置１００が、ネットワーク５を介して管理サーバ２００及び設備３００に接続される。
【００３７】
例えば、端末装置１００は、ユーザが好む環境にするための設定情報を入力可能であり、入力された設定情報を管理サーバ２００に送信する。この設定情報とは、例えば、ユーザが好む環境を指定する環境指定情報である。
【００３８】
管理サーバ２００は、端末装置１００から送信される設定情報を取得して、取得した設定情報をユーザ毎に管理する。これにより、ユーザは自身が好む環境を、端末装置１００の操作により管理サーバ２００に通知することができ、管理サーバ２００においてユーザの設定情報を管理させる。
管理サーバ２００は、取得した設定情報に基づいて、設備３００の稼働状態を制御して、ユーザの周囲の環境が、ユーザが好む環境になるように調整する。管理サーバ２００は、端末装置１００からの制御に応じて、ユーザを識別するユーザ識別情報、ユーザの現在位置情報、現在時刻等に基づいて、当該ユーザの位置に関連する設備３００を制御する。
【００３９】
例えば、管理サーバ２００は、ユーザにより操作された端末装置１００を特定し、特定した端末装置１００からユーザを特定する。
また、例えば、管理サーバ２００は、端末装置１００の位置からユーザの現在位置情報を取得する。
また、例えば、管理サーバ２００は、ユーザが操作した端末装置１００から、上記の設定情報とユーザの現在位置情報を取得した場合、当該ユーザの現在の位置の環境を当該設定情報に応じた環境になるように、当該端末装置１００を操作した位置に関係する設備３００に要求する。
そして、設備３００は、管理サーバ２００からの要求に応じて、端末装置１００を操作した位置の環境を調整する。これにより、管理サーバ２００は、ユーザがいる位置の環境を調整することができ、ユーザの周囲の環境が、ユーザが好む環境になるように調整することができる。
なお、本実施形態における設備３００は、空調設備３１０、照明設備３２０、入退出管理設備３３０、放送設備３４０を備えるものとする。
【００４０】
以下、図１を参照して、本実施形態による端末装置１００及び管理サーバ２００の構成を詳しく説明する。
（端末装置１００の構成）
まず、端末装置１００の構成を説明する。
端末装置１００は、端末通信部１１０と、タッチパネル１２０と、端末記憶部１３０と、端末制御部１４０と、を備えている。
【００４１】
端末通信部１１０は、外部機器とネットワーク５を介して通信する。例えば、端末通信部１１０は、管理サーバ２００及び設備３００とネットワーク５を介して接続し、データの送受信を行う。
【００４２】
タッチパネル１２０は、表示部１２１と、入力部１２２とを備えている。この表示部１２１と入力部１２２とは重ね合わせて一体として構成されている。表示部１２１は、画像や文字等の情報を表示する液晶ディスプレイや有機ＥＬ（Electro-Luminescence）ディスプレイ等を備えている。入力部１２２は、表示部１２１の表示面上における接触を検知することにより、ユーザからの操作入力を受け付ける。例えば、入力部１２２は、静電容量の変化、圧力の変化、電気抵抗の変化などを利用して接触を検出するタッチセンサを備えている。入力部１２２は、ユーザからの操作入力を受け付けると、受け付けた操作入力に応じた操作入力信号を端末制御部１４０に供給する。
【００４３】
端末記憶部１３０は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュＲＯＭ、ＨＤＤ（Ｈａｒｄ  Ｄｉｓｋ  Ｄｒｉｖｅ）等の記録媒体またはこれらの組合せを用いて構成され、端末装置１００が備える各部を制御するためのプログラム、データ、各種情報等を記憶する。
【００４４】
端末制御部１４０は、表示制御部１４１と、入力受付部１４２と、位置情報取得部１４３と、操作情報検出部１４４と、操作情報送信部１４５とを備えている。
【００４５】
入力受付部１４２は、入力部１２２から端末制御部１４０に供給された操作入力信号を取得すると、取得した操作入力信号に応じて操作内容を示す操作情報を端末制御部１４０が備える各部に供給する。
操作情報検出部１４４は、入力受付部１４２が入力部１２２から取得した操作入力信号に基づいて、ユーザが選択して操作した操作子を検出して、操作情報を生成する。
操作情報送信部１４５は、操作情報検出部１４４によって検出された操作に応じた操作情報を管理サーバ２００宛に送信する。
【００４６】
表示制御部１４１は、表示部１２１への表示を制御する。例えば、表示制御部１４１は、ユーザの周囲の環境として当該ユーザが望む環境を指定させるように、その指定を入力部１２２から入力させるための操作入力画面を表示部１２１に表示させる。表示制御部１４１は、互いに異なる複数の色を含む画像にして、その画像を表示部に表示させる。例えば、互いに異なる複数の色を表示した位置と表示部１２１の表示画面に表示された画像の位置とを対応づけておく。
また、表示制御部１４１は、端末装置１００が管理サーバ２００から取得した表示画面情報に基づく表示画面を表示部１２１に表示させる。
【００４７】
図２は、表示部１２１に表示される操作入力画面の表示例を示す図である。
符号１２０ａは、操作入力画面が表示されている全体の領域を示している。この全体の領域のうち符号１２０ｂの領域には、この画面が環境の調整を行う入力画面が表示されている。
【００４８】
符号１２０ｃの領域には、操作ボタンＫ１からＫ９が表示されている。操作ボタンＫ１からＫ９は、ユーザの周囲の環境として当該ユーザが望む環境を指定するための操作子である。操作ボタンＫ１からＫ９の各操作ボタンＫｎは、各操作ボタンＫｎを視覚的に識別可能なものとする。例えば、各操作ボタンＫｎの色を互いに異なるように配色し、色の違いにより視覚的に識別可能なものとする。ユーザは、表示部に表示された操作ボタンＫｎの色を識別し、表示された色のうちからユーザが望む環境に対応する色の操作ボタンＫｎを操作する。このように本実施形態の操作ボタンＫｎは、制御対象の設備３００を制御するための操作子である。また、操作ボタンＫ１からＫ９の各操作ボタンＫｎには、ユーザの周囲の環境として設定する候補としての互いに異なる環境がそれぞれ対応付けられている。つまり、入力画面に表示された操作ボタンＫｎ等は、互いに異なる環境になるように調整するための操作子である。
【００４９】
また、符号１２０ｄの領域には、「←（戻りボタンＫ１１）」と、「Ｙｅｓ（確定ボタンＫ１２）」と、「Ｎｏ（操作取消ボタンＫ１３）」とが表示されている。
【００５０】
そこで、ユーザは、上記のような入力画面が表示された端末装置１００を利用して、ユーザの周囲の環境が所望の環境になるように、入力画面に表示された操作子を操作する。端末装置１００は、入力受付部１４２により、各色の操作ボタンＫｎが操作されたことを検出する。入力受付部１４２により、各色の操作ボタンＫｎの何れかが操作されたことを検出した後、次の何れかの操作が行われることにより、ユーザが選択した操作ボタンＫｎの情報が管理サーバ２００に送られる。
【００５１】
例えば、「Ｙｅｓ（確定ボタンＫ１２）」は、操作ボタンＫ１からＫ９を操作して指定した結果が妥当なものであることを管理サーバ２００に通知するための操作子である。「Ｙｅｓ（確定ボタンＫ１２）」が操作されると、操作ボタンＫ１からＫ９の操作を検出した結果が有効なものであることを、端末装置１００から管理サーバ２００に通知する。
【００５２】
一方、「Ｎｏ（操作取消ボタンＫ１３）」は、操作ボタンＫ１からＫ９を操作して指定した結果が不適当なものであることを管理サーバ２００に通知するための操作子である。「Ｎｏ（操作取消ボタンＫ１３）」が操作されると、操作ボタンＫ１からＫ９の操作を検出した結果が無効なものとされて、その結果が端末装置１００から管理サーバ２００に通知される。
【００５３】
上記のように新たな設定に変更する際に必要とされる操作に対して、既に設定されていた設定に戻すための操作が、端末装置１００に用意されている。例えば、「←（戻りボタンＫ１１）」は、環境の調整を行う前に設定していた環境に戻すための操作子である。「←（戻りボタンＫ１１）」が操作されると、ユーザの周囲の環境が環境の調整を行う前に設定していた環境になるように、端末装置１００から管理サーバ２００に要求する。
【００５４】
端末装置１００の操作情報検出部１４４は、上記の操作により選択された操作ボタンを検出する。操作情報送信部１４５は、操作情報検出部１４４によって検出された操作ボタンを示す情報を、ネットワーク５を介して管理サーバ２００宛に送信する。
【００５５】
図１に戻り、位置情報取得部１４３は、端末装置１００の現在の位置情報を取得する。例えば、位置情報取得部１４３は、ＧＰＳ（Ｇｌｏｂａｌ  Ｐｏｓｉｔｉｏｎｉｎｇ  Ｓｙｓｔｅｍ）衛星や無線ビーコンから受信する電波に基づいて位置を測定する無線受信ユニットを含んで構成され、ＧＰＳ衛星や無線ビーコンから受信する電波に基づいて端末装置１００の現在の位置情報を取得する。
【００５６】
なお、位置情報取得部１４３は、ＧＰＳや無線ビーコンを用いる方法に限らず他の方法を用いて位置情報を取得してもよい。例えば、位置情報取得部１４３は、端末通信部１１０がネットワーク５に接続するときの無線接続スポット（基地局）の情報に基づいて位置情報を取得してもよい。この端末通信部１１０を介して取得する位置情報は、ＧＰＳや無線ビーコンを用いて取得する位置情報に対して精度が劣る場合があるが、端末装置１００の位置情報として利用することができる。例えば、位置情報取得部１４３は、端末装置１００がＧＰＳ衛星や無線ビーコンからの電波を受信できない場所にある場合、端末装置１００のＧＰＳ機能や無線ビーコンを利用する機能がオフされている場合、又は端末装置１００がＧＰＳ機能や無線ビーコンを利用する機能を有していない場合に、端末通信部１１０を介して位置情報を取得してもよい。
【００５７】
上記のように構成された端末装置１００は、ユーザがいる位置に対応する各設備３００を制御するための情報を、上記の操作を通して管理サーバ２００に通知することができる。管理サーバ２００は、端末装置１００からの要求に応じて、各設備３００を制御する。
【００５８】
（管理サーバ２００の構成）
次に、管理サーバ２００の構成を説明する。
管理サーバ２００は、サーバ通信部２１０と、サーバ制御部２２０と、サーバ記憶部２３０と、を備えている。サーバ通信部２１０は、外部機器とネットワーク５を介して通信する。例えば、サーバ通信部２１０は、端末装置１００及び設備３００とネットワーク５を介して接続し、データの送受信を行う。
【００５９】
サーバ制御部２２０は、操作情報取得部２２１と、制御情報生成部２２２と、設備制御処理部２２３と、を備えている。
操作情報取得部２２１は、端末装置１００から送信された設定情報を、ネットワーク５を介して取得する。例えば、操作情報取得部２２１は、端末装置１００から送信された設定情報としての操作情報及び端末装置１００の位置情報を取得し、取得した操作情報及び位置情報をサーバ記憶部２３０に記憶させる。例えば、管理サーバ２００は、複数のユーザの端末装置１００のそれぞれから取得した操作情報及び位置情報を管理することにより、各ユーザの操作の履歴情報をユーザ毎に管理することができる。
【００６０】
例えば、操作情報取得部２２１は、「選択した操作ボタンＫｎを示す情報」、「ユーザＩＤ」、「時刻情報」、及び「位置情報」が含まれる操作情報を、端末装置１００から取得する。これにより、管理サーバ２００は、環境の調整を要求したユーザ（端末装置１００）、時刻、及び位置（場所）を特定することができる。
【００６１】
制御情報生成部２２２は、操作情報取得部２２１が端末装置１００から操作情報を取得した後、当該端末装置１００からの要求に応じて設備３００を制御する制御情報を生成する。
また、制御情報生成部２２２は、前記利用者の位置に対応する位置にある設備３００であって、利用者の位置に応じて定められた領域に対応する設備３００ごとの制御量を調整する。このように、制御情報生成部２２２は、限られた領域に対応する設備３００ごとの制御量を調整することができる。さらに、制御情報生成部２２２は、環境を調整する領域に係る設備３００ごとの制御量を調整するようにしてもよい。これにより、制御情報生成部２２２は、限られた領域ごとに設備３００を異なる制御状態にするように制御することができる。
【００６２】
また、制御情報生成部２２２は、操作情報検出部１４４が検出した情報に基づいて、ユーザによって選択された色に係る情報を履歴情報としてサーバ記憶部２３０に記憶させる。さらに、制御情報生成部２２２は、履歴情報に基づいた解析結果により、当該ユーザの位置に対応する設備に対する制御量を調整するようにしてもよい。
【００６３】
例えば、制御情報生成部２２２は、ユーザが現在いる領域と同じ領域に過去にいた際に、環境の変更を要求したか否かを管理することができる。制御情報生成部２２２は、サーバ記憶部２３０に記憶されている履歴情報から、ユーザがその領域にいたときに、今回の環境の変更の要求と同じ変更を要求する記録があったと仮定する。この場合、制御情報生成部２２２は、その領域の環境が標準のままではユーザにとって適した環境と評価されない可能性が高いと判定することができる。このような傾向の判定は、同様の操作が行われた頻度に応じて判定するようにしてもよい。
制御情報生成部２２２は、上記のような判定結果を取得した後、標準の状態をユーザの嗜好に応じて調整してもよい。これにより、標準の環境が、いくらかでもユーザが嗜好する環境に近くなることにより、ユーザが環境の調整を要求する頻度が下がるものと推定される。
【００６４】
例えば、制御情報生成部２２２は、同じ日において同一のユーザが、環境の変更を要求する傾向を管理することができる。制御情報生成部２２２は、サーバ記憶部２３０に記憶されている履歴情報から、同じ一日のうちで、ユーザが今回の環境の変更の要求と同じ変更を要求する記録があったと仮定する。この場合、制御情報生成部２２２は、少なくともその日のユーザが嗜好する環境が標準の環境に適していないと、当該ユーザに評価された可能性が高いと判定することができる。このような傾向の判定は、複数の日にまたがって実施してもよく、また、特定の日に起因するものであるか、日にちに依存することなく同様の傾向が認められるかを判定するようにしてもよい。
【００６５】
例えば、制御情報生成部２２２は、ユーザが環境の変更を要求したか否かを管理することができる。例えば、制御情報生成部２２２は、サーバ記憶部２３０に記憶されている履歴情報から、今回の環境の変更の要求と同じ変更を要求する記録が多くあったと仮定する。特に、ユーザがいる場所に関係なく、同様の変更を要求する記録が多くあったと仮定する。このような場合、ユーザは、同様の変更を希望する傾向が高いと判定することができる。
このような傾向の一致するユーザが複数集まることを予測できた場合や、実際に関連性の高い領域にいる複数のユーザから、同様の要求があった場合には、制御情報生成部２２２は、そもそもの環境の標準状態と定めた設定値を、上記ユーザの嗜好に合わせた環境になるように調整した値にすることも可能である。
【００６６】
この場合、制御情報生成部２２２は、その領域の環境が標準のままでは適した環境と評価されない可能性が高いと判定することができる。このような傾向の判定は、同様の操作が行われた頻度に応じて判定するようにしてもよい。
上記のような判定結果を取得した後、標準の状態をユーザの嗜好に応じて調整してもよい。標準の環境が、いくらかでもユーザが嗜好する環境に近くなることにより、ユーザが環境の調整を要求する頻度が下がるものと推定される。
【００６７】
例えば、制御情報生成部２２２は、当該ユーザの位置に対応する前記複数の種類の設備に対する制御量を、前記検出された色に応じて調整し、前記調整された制御量をそれぞれ調整するようにしてもよい。
なお、制御情報生成部２２２は、操作された操作ボタンを示すデータに、操作された時点の時刻情報を関連づけた操作履歴データを生成し、操作履歴データをサーバ記憶部２３０（操作履歴ＤＢ）に記憶させるようにしてもよい。例えば、操作履歴ＤＢに記憶されている操作履歴データを参照することにより、制御情報生成部２２２は、当該ユーザが最後に操作した操作ボタンに係る情報を得ることができる。
【００６８】
設備制御処理部２２３は、制御情報生成部２２２によって生成された制御情報に基づいて設備３００を制御する。なお、各設備の個別の制御について後述する。
【００６９】
（温度の刺激を調整する操作ボタンの配色について）
操作ボタンＫｎ（操作対象部）の色に対応付けて、屋内環境における温度の刺激を調整する方法を例示する。
例えば、暖色系の色に、基準とする温度より高い温度を感じさせるような環境を対応させ、寒色系の色に、基準とする温度より低い温度を感じさせるような環境を対応させる。基準とする温度を現在の温度であるとすれば、現在の温度より高い温度になるように周囲の温度を変更したい場合に、暖色系の操作ボタンＫｎを操作することになり、現在の温度より低い温度になるように周囲の温度を変更したい場合に、寒色系の操作ボタンＫｎを操作することになる。
このように操作ボタンＫｎの配色を調整したことにより、ユーザが望む環境に対応する色相の操作ボタンＫｎに触れることを通して、ユーザが希望する温度の刺激を視覚的に与えることができる。
【００７０】
また、体感温度は、風量に依存する。例えば、風量を標準より弱くすることにより、基準とする温度より高い温度に感じさせることができ、反対に、風量を標準より強くすることにより、基準とする温度より低い温度に感じさせることができる。
【００７１】
また、周囲の光質により、温度感が異なる。例えば、色温度を基準とする色温度より低くすることにより、基準とする温度より高い温度に感じさせることができ、反対に、色温度を基準とする色温度より高くすることにより、基準とする温度より低い温度に感じさせることができる。
【００７２】
また、音色により、温度感が異なる。例えば、低音域成分が高音域成分より多い音色の音を周囲に流すことにより、基準とする温度より高い温度を感じさせることができ、反対に、高音域成分が低音域成分より多い音色の音を周囲に流すことにより、基準とする温度より低い温度を感じさせることができる。
【００７３】
そこで、基準とする温度より高い温度を感じさせるような環境にするように、少なくとも下記の何れかの設備の設定を標準の値から変えるように制御する。例えば、空調設備の設定温度を高めにする。空調設備の設定風量を弱めにする。空調設備からの風量を調整する遮蔽物を用いてユーザに当たる風量を弱める。窓やドアを開けて室内に流れる風量を多くする。照明の色温度を低めにする。低音域成分が高音域成分より多い音色の音を周囲に流す。
一方、基準とする温度より低い温度を感じさせるような環境にするように、少なくとも下記の何れかの設備の設定を標準の値から変えるように制御する。例えば、空調設備の設定温度を低めにする。空調設備の設定風量を強めにする。空調設備からの風量を調整する遮蔽物を用いてユーザに当たる風量を強める。窓やドアを閉めて室内に流れる風量を少なくする（無くす）。照明の色温度を高めにする。高音域成分が低音域成分より多い音色の音を周囲に流す。
上記のように、所望の温度を感じるような環境にするために、温度を調整するのではなく、温度を調整する手段を選択することなく、所望の環境を提供することができる。また、温度の調整と組み合わせることにより、温度の調整幅を少なくすることができる。
【００７４】
（交換神経の刺激を調整する操作ボタンの配色について）
操作ボタンＫｎ（操作対象部）の色に対応付けて、屋内環境の設定に応じて交換神経の刺激を調整する方法を例示する。
例えば、赤色系の色に、基準とする環境の状態より交感神経の刺激を高めるような環境を対応させ、青色系の色に、基準とする環境の状態より交感神経の刺激を低減させるような環境を対応させる。基準とする状態を現在の環境の状態であるとすれば、現在の環境の状態より、交感神経の刺激を高めるように周囲の環境を変更したい場合に、赤色系の操作ボタンＫｎを操作することになり、現在の環境の状態より交感神経の刺激を低めるように周囲の環境を変更したい場合に、青色系の操作ボタンＫｎを操作することになる。
このように操作ボタンＫｎの配色を調整したことにより、ユーザが望む環境に対応する色相の操作ボタンＫｎに触れることを通して、交感神経に対するユーザが希望する刺激を視覚的に与えることができる。
【００７５】
また、風が自立神経を刺激する場合がある。例えば、風が直接的にユーザに当たることにより、快適性が低下したり、意欲が低下したりするなどストレス感を与えることがある。反対に、風が間接的にユーザに当たるようにしたことにより、快適性が高めたり、意欲を維持できたりするなどストレス感を与えないようにすることができる。ストレス感は、交感神経を高める場合もあるが、自律神経を刺激して調子を乱すことから、直接的にユーザに当たる風は交感神経を調整することの妨げになることがある。交感神経を刺激するように調整する場合には、風が直接的にユーザに当たらないように調整する。
【００７６】
また、周囲の光質により、交換神経の刺激が異なる。例えば、赤の色成分を、基準とする白色光より多くすることにより、基準とする白色光の場合に比べて交換神経の刺激を高め、反対に、青の色成分を基準とする白色光より多くすることにより、基準とする白色光の場合に比べて交換神経の刺激を低めるようにする。
【００７７】
また、音色により、交換神経の刺激が異なる。例えば、低音域成分が高音域成分より多い音色の音を周囲に流すことにより、基準とする環境より交換神経の刺激を低めに感じさせることができ、反対に、高音域成分が低音域成分より多い音色の音を周囲に流すことにより、基準とする環境より交換神経の刺激を高めに感じさせることができる。
【００７８】
そこで、基準とする環境より交換神経の刺激を高めて感じさせるような環境にするように、少なくとも下記の何れかの設備の設定を標準の値から変えるように制御する。例えば、空調設備の設定温度を高めにする。空調設備の設定風量を弱めにする。空調設備からの風量を調整する遮蔽物を用いてユーザに当たる風量を弱める。窓やドアを開けて室内に流れる風量を少なくする。照明の色温度を低めにする。低音域成分が高音域成分より少ない音色の音を周囲に流す。
一方、基準とする温度より低い温度を感じさせるような環境にするように、少なくとも下記の何れかの設備の設定を標準の値から変えるように制御する。例えば、空調設備の設定温度を低めにする。空調設備の設定風量を弱めにする。空調設備からの風量を調整する遮蔽物を用いてユーザに当たる風量を弱める。窓やドアを閉めて室内に流れる風量を少なくする（無くす）。照明の色温度を高めにする。高音域成分が低音域成分より高い音色の音を周囲に流す。
上記のように、交換神経の所望の刺激を与えるような環境にするために、各種手段のうちから何れか又は複数を組み合わせて、所望の環境を提供することができる。
【００７９】
（リラックス感を与えるように調整する操作ボタンの配色について）
操作ボタンＫｎ（操作対象部）の色に対応付けて、屋内環境の設定に応じてリラックス感を与えるように調整する方法を例示する。
例えば、緑色系の色に、基準とする環境の状態より副交感神経を刺激するような環境を対応させる。基準とする状態を現在の環境の状態であるとすれば、現在の環境の状態より、副交感神経の刺激を高めるように周囲の環境を変更したい場合に、緑色系の操作ボタンＫｎを操作することになる。
このように操作ボタンＫｎの配色を調整したことにより、ユーザが望むリラックス感を与える環境に対応する緑色の操作ボタンＫｎに触れることを通して、副交感神経に対するユーザが希望する刺激を視覚的に与えることができる。
【００８０】
また、前述のとおり風が自立神経を刺激する場合がある。例えば、風が直接的にユーザに当たることにより、快適性が低下したり、意欲が低下したりするなどストレス感を与えてしまい、交感神経を高めてしまうことがある。一方で、風量がランダムに変化して、風量が適度な場合には、かえって副交感神経の刺激を高めることができる。そこで、リラックス感を与えるように調整する場合には、風が直接的にユーザに当たらないようにして、風量をランダムに調整した風を供給できるようにする。
【００８１】
また、周囲の光質を調整して、リラックス感を与える量を調整する。例えば、緑の色成分を、基準とする白色光より多くしたり、また、色温度を基準とする色温度より低くしたりすることにより、基準とする白色光の場合に比べてリラックス感を与えることができる。
【００８２】
また、音色により、リラックス感を与える量を調整することができる。例えば、雨音、小川のせせらぎなどの水の音、鳥のさえずりなどの環境音、クラッシック音楽や好みの音楽、ホワイトノイズなどをＢＧＭ（background music、背景音楽、環境音）として流すことにより、リラックス感を与える量を高めることができる。
【００８３】
そこで、基準とする環境よりリラックス感を与えるような環境を提供するには、少なくとも上記の何れかの手段のうちから何れか又は複数を組み合わせて提供するとよい。
【００８４】
（検出された操作ボタンＫｎに応じた環境の調整）
次に、図３を参照して、検出された操作ボタンＫｎに応じた環境の調整について説明する。同図は、検出された操作ボタンＫｎに応じて環境を調整する制御の手順を示すフローチャートである。
【００８５】
操作情報検出部１４４は、入力受付部１４２が入力部１２２から取得した操作入力信号に基づいて、環境の調整を要求する操作が行われたことを検出する（ステップＳ１０）。
【００８６】
表示制御部１４１は、ユーザの周囲の環境として当該ユーザが望む環境を指定させるように、入力部１２２から入力させるための操作入力画面を表示部１２１に表示させる（ステップＳ１５）。
【００８７】
ユーザは、表示部１２１に表示された操作ボタンＫｎを参照して、指定する環境に対応する操作ボタンＫｎを操作する。入力受付部１４２は、入力部１２２から端末制御部１４０に供給された操作入力信号を取得する。操作情報検出部１４４は、入力受付部１４２が入力部１２２から取得した操作入力信号に基づいて、ユーザが選択して操作した操作子を検出する（ステップＳ２０）。
【００８８】
位置情報取得部１４３は、端末装置１００の現在の位置情報を取得する（ステップＳ２５）。
操作情報送信部１４５は、操作情報検出部１４４によって検出された操作に応じた操作子の情報と端末装置１００の位置情報とを含めて操作情報を生成し（ステップＳ３０）、管理サーバ２００宛に送信する（ステップＳ３５）。
【００８９】
管理サーバ２００の操作情報取得部２２１が、端末装置１００から送信された操作情報を取得する（ステップＳ４０）。
【００９０】
管理サーバ２００の制御情報生成部２２２は、操作情報取得部２２１によって取得した操作情報に基づいて、設備３００ごとに、各設備３００に対する制御情報を生成する（ステップＳ４５）。
【００９１】
管理サーバ２００の設備制御処理部２２３は、制御情報生成部２２２によって生成された各設備３００に対する制御情報に基づいて、制御情報によって指定される所望の設備３００を制御する（ステップＳ５０）。
【００９２】
管理サーバ２００の設備制御処理部２２３は、外部要因により制御情報の変更が必要か否かを判定する（ステップＳ５５）。ステップＳ５５における判定の結果、外部要因により制御情報の変更が必要と判定した場合（ステップＳ５５：Ｙｅｓ）には、ステップＳ４５からの所に進む。
一方、ステップＳ５５における判定の結果、外部要因により制御情報の変更が必要ではないと判定した場合（ステップＳ５５：Ｎｏ）には、上記の環境の調整を要求する処理を終える。
【００９３】
なお、上記の処理は、「環境の調整に対する要求」が生じた時点で、都度実施されるものとする。
以上に示した処理の手順により、制御システム１は、設備３００を制御する。
【００９４】
上記のとおり、制御情報生成部２２２は、端末装置１００において検出された操作に応じて定まる制御量を、制御対象にする前記設備ごとに定める。設備制御処理部２２３は、定めた制御量に応じて、設備３００を制御する。
【００９５】
設備３００は、複数の種類の設備を有しており、それぞれが、環境を調整する領域に対応させて設けられている。例えば、個人が作業のために占用する領域ごとに異なる環境になるように調整できるものとする。
【００９６】
図４と図５を参照して、より具体的な設備３００の制御について説明する。
図４は、設備３００の制御する際の調整範囲について説明する説明図である。
同図に示される調整範囲テーブル６０１は、設備３００の各設備の状態を調整する際の調整範囲を示す。この調整範囲テーブル６０１には、温度（度）、風量（％）、照度（ルクス）、色相の各項目が示されている。それぞれの項目は、標準状態（ＴＹＰ）に対し、強調させた場合の最大値（ＭＡＸ）と、低減させた場合の最大値（ＭＩＮ）とを示している。
【００９７】
例えば、温度の場合では、制御目標とする温度に対する補正量を標準時には「０」にする。温度を高めに調整する場合には、制御目標とする温度に対して最大補正温度（ＭＡＸ：２度）までの範囲で補正する。温度を低めに調整する場合には、制御目標とする温度に対して最小補正温度（ＭＩＮ：−２度）までの範囲で補正できる。
【００９８】
風量の場合では、温度の場合と同様に、標準時の風量を１００として、その補正量を「−２０％」から「＋２０％」までの間で補正できる。
【００９９】
照度の場合では、制御目標とする照度に対する標準値を、例えば「５００ルクス」にする。照度を調整する場合には、制御目標とする照度（５００ルクス）に対して、最低照度（ＭＩＮ：３００ルクス）から最大照度（ＭＡＸ：７５０ルクス）までの範囲で補正できる。
【０１００】
色相の場合では、光束に含まれる色成分ごとのエネルギー量を調整する。標準時の各色成分のエネルギー量を１００として、その補正量を「−１０％」から「＋１０％」までの間で補正できる。
例えば、上記の調整範囲テーブル６０１に定めた調整範囲の中で補正できるものとする。
【０１０１】
次に、色ごとに定めた補正量について説明する。
図５は、色ごとに定めた補正量の選択について説明する説明図である。
同図に示される補正量選択テーブル６０２は、操作ボタンに配色された色（表示色）に対応する補正量を定めた一例を示す。
補正量選択テーブル６０２には、Ｎｏ、表示色、温度（度）、風量（％）、照度（ルクス）、色相、選択の各項目が示されている。温度（度）、風量（％）は、空調設備に関係し、照度（ルクス）、色相は、照明設備に関係する。
【０１０２】
表示色を、赤、橙、青、緑、・・・にした場合の、各色の補正量をパタン化して、色ごとに複数のパタンを示している。例えば、表示色が赤の場合の例として、Ｎｏの項目に示すように、Ｒ１とＲ２の２つのパタンを示す。表示色が橙の場合の例として、同様に、ＯＲ１とＯＲ２とＯＲ３の３つのパタンを示す。表示色が青の場合の例として、同様に、Ｂ１とＢ２とＢ３の３つのパタンを示す。表示色が緑の場合の例として、同様に、Ｇ１とＧ２の２つのパタンを示す。
上記の各パタンは、前述の図４に示す調整範囲の中で選択された補正量を示している。各色の補正量は、前述の「（温度の刺激を調整する操作ボタンの配色について）」、「（交換神経の刺激を調整する操作ボタンの配色について）」、「（リラックス感を与えるように調整する操作ボタンの配色について）」などに示した要領に応じて定めた一例を例示したものである。
【０１０３】
また、各色に定めた複数のパタンのうちから何れかのパタンが選択されて、選択されたパタンの「選択」の項目に、「○」印がつけられている。制御システム１は、「選択」の項目に「○」印が付されたパタンに従って、各設備３００をそれぞれ制御する。
【０１０４】
なお、この補正量選択テーブル６０２は、ユーザ毎に設けることができ、同テーブルをユーザ毎に設けた場合には、ユーザ毎に各調整量の値を設定することができる。ユーザ毎の同テーブルにユーザ毎の各調整量の値を設定した場合、各ユーザがそれぞれ同じ表示色を選択しても、詳細の制御量は設定された値に応じて異なるものになる。制御システム１では、各設備に対する制御量を補正する目的と表示色との関係を、システムを通して共通化したことにより、同じ色を選択すれば、その色が示すような環境になるように調整することができる。
【０１０５】
以上に示す実施形態によれば、制御システム１は、屋内の環境を調整する設備を制御する制御システムである。制御システム１は、互いに異なる環境が、視覚的に識別可能な操作対象部にそれぞれ対応付けられており、操作対象部の選択を検出する。
制御システム１は、前記検出の結果に応じて制御対象にする設備３００の種類が選択され、前記選択された種類の設備３００に対する制御量を調整する。さらに、制御システム１は、上記の制御量を調整する際に、操作対象部の視覚的な特徴に対応付けられている環境にするように各設備の制御量を調整する。これにより、制御システム１は、利用者が望んでいる環境になるように、施設内の環境を調整することができる。
【０１０６】
（限られた数の色（視覚的に識別できる特徴）に所望の環境をマッピングさせる効果について）
限られた数の色（視覚的に識別できる特徴）に所望の環境をマッピングさせる効果について説明する。ユーザが感じた現在の環境を数値化して取り込むことにより、ユーザが実際に感じている環境の状態についての情報を収集することができる。ただし、ユーザの感じたままの情報を単に集めた場合、様々な表現で類似の情報が表されたまま収集されることになり、収集された後に、その情報を分類したり、解析したりすることが困難となる場合がある。
【０１０７】
そこで、制御システム１では、第１段の判定をユーザに実施させる。この第１段の判定では、環境の変更を要求するか否か、また、いかなる方向に変更を要求するかを含めて、ユーザに判定してもらう。本実施形態では、限られた数の色（視覚的に識別できる特徴）に所望の環境をマッピングさせている。上記の判定の結果として選択できる環境は、限られた数の色（視覚的に識別できる特徴）にマッピングされた所望の環境である。
このような第１段の判定をユーザに実施させることにより、制御システム１は、その判定の結果を、限られた数の色（視覚的に識別できる特徴）の選択結果として取得することができる。換言すれば、制御システム１は、ユーザの要求を上記の処理を通して量子化することができ、量子化されたデータを用いて後段の処理を実施することができる。なお、例えば、後段の処理は、前述の図３に示す手順の処理などが挙げられる。
【０１０８】
また、本実施形態のように限られた数の色（視覚的に識別できる特徴）に所望の環境をマッピングした場合、単に設備の設定の物理量を指定する制御方法と異なり、ユーザが環境の変更を要求した動機に関する情報まで収集することができる。
【０１０９】
以上、本発明の実施形態について説明したが、図１の制御システム１の各装置は、内部にコンピュータシステムを有している。そして、上述した処理に関する一連の処理の過程は、プログラムの形式でコンピュータ読み取り可能な記憶媒体に記憶されており、このプログラムをコンピュータが読み出して実行することによって、上記処理が行われる。ここで、コンピュータ読み取り可能な記憶媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳ等も含むものとする。
【０１１０】
そして、端末装置１００、管理サーバ２００、及び設備３００における各処理の全部又は一部の処理は、ＣＰＵ等の中央演算処理装置がＲＯＭやＲＡＭ等の主記憶装置に上記プログラムを読み出して、情報の加工、演算処理を実行することにより、実現されるものである。勿論、制御システム１を構成する各処理部は専用のハードウェアにより実現されるものであってもよい。
【０１１１】
なお、ここで、本発明と上記実施形態との対応関係について補足して説明する。上記実施形態において、本発明における制御システムが制御システム１に対応し、端末装置が端末装置１００に対応し、検出部が操作情報検出部１４４に対応し、制御部がサーバ制御部２２０に対応し、表示制御部が表示制御部１４１に対応し、表示部が表示部１２１に対応する。
【０１１２】
以上、本発明の実施の形態について説明したが、本発明の制御システム１は、上述の図示例にのみ限定されるものではなく、本発明の要旨を逸脱しない範囲内において種々変更を加え得ることは勿論である。
【０１１３】
例えば、上記の図２に示す操作入力画面は、複数の操作ボタンを格子に配置した画面を例示したが、同図に示すような専用の操作入力画面を用いずに、ユーザが嗜好する環境を選択できるようにしてもよい。例えば、一般的な携帯型の端末装置であれば、アプリケーションを起動させるアイコンを表示する画面や、操作を制限するロック画面などの背景に示す画像（壁紙）を選択して使用することができる。ロック画面とは、操作入力を制限しておき、その制限を所定のコードを入力して解除するように待機する画面のことを示す。
例えば、上記の壁紙として、候補となる画像が予め用意されている。ユーザは、予め用意された候補の画像から好みの画像を選択して、選択した画像を壁紙として設定することができる。予め用意された画像であっても、色、形、パタン、デザイン、立体視、動き、シーンなどが適宜組み合わされたものとなっている。そのような候補の内から選択された壁紙は、ユーザの嗜好が表れているものといえる。
そこで、壁紙の候補とする画像に、所望の環境をマッピングさせることにより、選択された壁紙とユーザが嗜好する環境とが連動させるようにすることができる。
【０１１４】
また、例えば、上記の図２においては、操作ボタンＫｎに配色された色に、所望の環境をマッピングさせるようにしていたが、操作ボタンＫｎ又は操作ボタンの色を識別する識別情報を、壁紙を識別する識別情報に代えることにより、選択された壁紙とユーザが嗜好する環境とが連動させるようにすることができる。
【０１１５】
また、例えば、上記の図２に示す操作入力画面は、複数の操作ボタンを格子に配置した画面を例示したが、同図に示すような専用の操作入力画面を用いずに、ユーザが嗜好する環境を選択するアプリケーションプログラムとして登録できるようにしてもよい。例えば、一般的な携帯型の端末装置であれば、好みのアプリケーションプログラムを起動させるように、当該アプリケーションプログラムに対応するアイコンを画面に表示させている。
ユーザは、端末装置１００に、嗜好にあった環境を設定するためのアプリケーションプログラムを登録して、端末装置１００の表示画面に、嗜好にあった環境を設定するアプリケーションプログラムに対応するアイコンを表示させる。
【０１１６】
そこで、１つのアイコンを操作することにより、環境を設定するアプリケーションプログラムが機能する状態にして、そのアプリケーションプログラムの処理により、嗜好にあった設定を管理サーバ２００に送信するようにしてもよい。なお、ユーザが前回指定した環境の情報をアプリケーションプログラムとして保持しておき、前回指定した環境と同じであれば、細部の情報を入力するまでもなく、嗜好にあった設定を、端末装置１００から管理サーバ２００に送信するようにしてもよい。上記のように、ユーザが前回指定した環境の情報が保持されているので、アイコンの表示にその情報を反映させるようにしてもよい。例えば、アイコンンの表示の少なくとも一部の領域に、所望の環境をマッピングさせた色を表示させることにより、選択されたアイコンと、ユーザが嗜好する環境とを連動させるようにすることができる。
又は、互いに異なる嗜好に応じた環境にそれぞれ対応する複数のアイコンを表示するようにしておき、それぞれのアイコンを操作することにより、それぞれのアイコンに対応する環境を設定するアプリケーションプログラムが機能するようにする。そのアプリケーションプログラムの処理の中で、アイコンに対応して設定されていたユーザの嗜好にあった設定を管理サーバ２００に送信するようにしてもよい。この場合、アイコンの表示を、指定する環境に応じた色を配色できるようにしてもよい。
このように、アイコンに表示された色に、所望の環境をマッピングさせることにより、選択されたアイコンとユーザが嗜好する環境とが連動させるようにすることができる。
【０１１７】
また、図３に示す手順は、一例を示すものであり、適用するシステムに応じて、同様の手順を複数繰り返し実施したり、一部を追加したり一部を省略したりすることができる。
例えば、管理サーバ２００は、次のように設備を制御するようにしてもよい。
管理サーバ２００は、ユーザ（端末装置１００）からの要求を受け付けた後に、当該要求に対してすぐに反応して、サーバ制御部２２０が当該要求に応じて制御量を一旦補正する。上記のように一旦補正した場合であっても、サーバ制御部２２０は、当該補正を実施した時点から所定の時間経過した段階で、例えば補正前の制御量に自動的に戻すように制御してもよい。
人の感覚は、同じ刺激を長く受けているとその刺激に対しての感度が低下する。ユーザが要求した時点で制御システム１が反応したことで、ユーザは、要求を受け付けてもらったことを認知して満足感を得ることができたとする。この満足感を得ることができた刺激も、やがて普通に感じるようになる段階が来る。また、その段階では、当所の要求を行うことになった要因が既に解消して無くなっていることも考えられる。
そこで、上記のように、当該補正を実施した時点から所定の時間経過した段階で、補正前の制御量に自動的に戻すように制御することにより、ユーザの個別の要求に応じて対応した特別な制御状態を標準的な状態に戻すことができる。これにより、制御システム１が、当所最適な状態として見込んでいた条件に基づいた制御状態に誘導させることができる。
【０１１８】
また、例えば、次のように設備を制御するようにしてもよい。
管理サーバ２００は、ユーザ（端末装置１００）からの要求を受け付けた後に、当該要求に対してすぐに反応して、サーバ制御部２２０が当該要求に応じて制御量を一旦補正する。
ところで、上記のように環境の調整を要求したユーザが、当該ユーザが環境の調整を要求した位置の近傍から移動することになったとする。この場合、管理サーバ２００は、ユーザが移動していなくなった場所の環境を標準状態に戻してもよい。
一方で、移動するユーザは、移動前の位置の環境で、要求した調整がなされた後の環境を満足できていたとする。移動するユーザは、満足していた環境を移動先の環境にも適用することができれば、移動先についた後に、改めて環境の調整を要求する必要が無い。そこで、制御システム１は、移動前の場所の環境を変えるためにユーザが指定した「色」の情報に基づいて、移動先の環境を調整するようにしてもよい。例えば、サーバ制御部２２０は、ユーザの移動前にユーザからの要求として、色の情報と対象の位置の情報とを取得している。サーバ制御部２２０は、この対象の位置からユーザが移動したことを検出するとともに、移動先を示す情報を取得する。サーバ制御部２２０は、取得した移動先を示す情報によって特定された場所の環境を、上記の色の情報に基づいて補正するとよい。
制御システム１は、上記のように、ユーザの操作を介することなく、ユーザの移動先の環境を制御することができ、これにより、ユーザの周囲の環境の雰囲気が自動で調整されて、移動に関係されずに環境を維持することができる。
【０１１９】
また、管理サーバ２００の全部又は一部の機能を仮想化させて、クラウドサーバとして構成してもよい。
【符号の説明】
【０１２０】
１  制御システム、
１００  端末装置、１１０  端末通信部、１２０  タッチパネル、１３０  端末記憶部、
１４０  端末制御部、１４１  表示制御部、１４２  入力受付部、
１４３  位置情報取得部、１４４  操作情報検出部（検出部）、
１４５  操作情報送信部、
２００  管理サーバ（制御サーバ）、
２１０  サーバ通信部、２２０サーバ制御部（制御部）、２３０サーバ記憶部、
３００  設備、３１０  空調設備、３２０  照明設備、３３０  入退出管理設備、
３４０  放送設備
【図１】
2016031616.tif 000003
【図２】
2016031616.tif 000004
【図３】
2016031616.tif 000005
【図４】
2016031616.tif 000006
【図５】
2016031616.tif 000007